(57)【特許請求の範囲】
【請求項１】
第１のエンドポイントノードを含むプロバイダブリッジバックボーンネットワークにおけるプロテクションのための方法であって、前記第１のエンドポイントノードは複数のセクションを介して第２のエンドポイントノードと通信を行い、当該方法は、
不具合に応じて、セクションのプロテクションを使用するステップであって、該セクションは入口点及び出口点の間で規定されかつ前記第１のエンドポイントノードから前記第２のエンドポイントノードまでの前記プロバイダブリッジバックボーンネットワークの全体には及ばないものである、ステップと、
前記不具合がセクションのプロテクションによっては復旧できなかった場合に、前記第１のエンドポイントノードから前記第２のエンドポイントノードまでの全体に及ぶエンドトゥエンドのプロテクションを使用するステップと
を有する方法。
【請求項２】
エンドトゥエンドのプロテクションがプライマリパス及びプロテクションパスを含み、セクションのプロテクションが前記プライマリパスの少なくとも１つのセクションについてのプロテクションを含み、当該方法は、前記プライマリパスの各セクションについてセクションのプロテクションを独立に開始及び終了するステップを有する、請求項１記載の方法。
【請求項３】
接続不具合の管理セッションを用いて、セクションの第１及び第２のノードを介して前記プロバイダブリッジバックボーンネットワークの前記セクションに出入りする全てのトラフィックに利用可能な前記セクションを介した全てのパスの不具合の状態を判定するステップをさらに有する請求項１記載の方法。
【請求項４】
セクションのプロテクションが、セクションの端部各々における１つのマッチトノードにおいて終端し、当該方法は、前記１つのマッチトノードを対応するマッチトノードに同期させることなく、セクションのプロテクションを利用するステップをさらに有する、請求項１記載の方法。
【請求項５】
当該方法が、エンドトゥエンドのプライマリパスにおける或るマッチトノードと、エンドトゥエンドのプロテクションパスにおける別のマッチトノードとの間で接続不具合の管理セッションを使用して、セクションのプロテクションパスと、対応するセクションのプライマリパスのダウンストリームのプロテクションの終了点との間に接続が有るか否かを判定するステップをさらに有する、請求項１記載の方法。
【請求項６】
少なくとも１つのノードについて複数の転送データベースを維持することで、少なくとも１つのノードが、他のノードと同期をとる必要なしに、少なくとも２つのプロテクションのセクションに参加できるようにするステップを含む、請求項１記載の方法。
【請求項７】
当該方法が、第１の接続不具合の管理セッションにより、不具合がエンドトゥエンドのプロテクションにより復旧できたか否かを判断し、第２の接続不具合の管理セッションにより、前記不具合がセクションのプロテクションにより復旧できたか否かを判断するステップを有し、前記第１の接続不具合の管理セッションのタイムアウト期間は、前記第２の接続不具合の管理セッションのタイムアウト期間より長い、請求項１記載の方法。
【請求項８】
当該方法が、セクションのプロテクションの開始点各々において、ＶＬＡＮ識別子を変更することなく、各々のパスの不具合の状態及びエンドトゥエンドのＶＬＡＮ識別子に基づいて、与えられた宛先へのフレームを、前記セクションを通じて前記プライマリパスに又は前記セクションを通じてプロテクションパスに流すステップを含む、請求項１記載の方法。
【請求項９】
当該方法が、アップストリーム及びダウンストリームの双方のセクションのプロテクションに関与するノードにおいて、エンドトゥエンドのＶＬＡＮ識別子及びダウンストリームのセクションの状態に基づいて、トラフィックを、前記アップストリームのセクションのプロテクションの終了点に至るパスに与え、又は前記ダウンストリームのセクションのプロテクションの終了点に至るパスに与えるステップを含む、請求項５記載の方法。
【請求項１０】
第１のエンドポイントノードを含むプロバイダブリッジバックボーンネットワークを用いてエンドポイント間で通信を行う装置であって、前記第１のエンドポイントノードは複数のセクションを介して第２のエンドポイントノードと通信を行い、当該装置は、
入口点ノード及び出口点ノードであって、該入口点ノード及び該出口点ノード間のネットワークのセクションに対するプロテクションの機能を共に発揮するように動作する入口点ノード及び出口点ノードを有し、
前記セクションは、前記第１のエンドポイントノードから前記第２のエンドポイントノードまでのプロバイダブリッジバックボーンネットワークの全体には及ばず、前記プロバイダブリッジバックボーンネットワークは、不具合に応じて、前記セクションのプロテクションを使用し、該不具合がセクションのプロテクションによっては復旧できなかった場合に、前記第１のエンドポイントノードから前記第２のエンドポイントノードまでの前記プロバイダブリッジバックボーンネットワークの全体に及ぶエンドトゥエンドのプロテクションを使用する、装置。
【請求項１１】
前記エンドトゥエンドのプロテクションがプライマリパス及びプロテクションパスを含み、セクションのプロテクションが前記プライマリパスの少なくとも１つのセクションについてのプロテクションを含み、各セクションについてのセクションのプロテクションは独立に開始及び終了する、請求項１０記載の装置。
【請求項１２】
接続不具合の管理セッションを用いて、セクションの第１及び第２のノードを介して前記プロバイダブリッジバックボーンネットワークの前記セクションに出入りする全てのトラフィックに利用可能な前記セクションを介した全てのパスの不具合の状態を判定する、請求項１０記載の装置。
【請求項１３】
セクションのプロテクションが、セクションの端部各々における１つのマッチトノードにおいて終端し、セクションのプロテクションは、前記１つのマッチトノードを対応するマッチトノードに同期させることなく利用される、請求項１０記載の装置。
【請求項１４】
エンドトゥエンドのプライマリパスにおける或るマッチトノードと、エンドトゥエンドのプロテクションパスにおける別のマッチトノードとの間で接続不具合の管理セッションを使用し、セクションのプロテクションパスと、対応するセクションのプライマリパスのダウンストリームのプロテクションの終了点との間に接続が有るか否かを判定する、請求項１０記載の装置。
【請求項１５】
少なくとも１つのノードについて複数の転送データベースを維持することで、少なくとも１つのノードが、他のノードと同期をとる必要なしに、少なくとも２つのプロテクションセクションに参加できるようにする、請求項１０記載の装置。
【請求項１６】
第１の接続不具合の管理セッションを使用して、前記不具合がエンドトゥエンドのプロテクションにより復旧できたか否かを判断し、第２の接続不具合の管理セッションを使用して、前記不具合がセクションのプロテクションにより復旧できたか否かを判断し、前記第１の接続不具合の管理セッションのタイムアウト期間は、前記第２の接続不具合の管理セッションのタイムアウト期間より長い、請求項１０記載の装置。
【請求項１７】
セクションのプロテクションの開始点各々において、ＶＬＡＮ識別子を変更することなく、各々のパスの不具合の状態及びエンドトゥエンドのＶＬＡＮ識別子に基づいて、与えられた宛先へのフレームが、前記セクションを通じて前記プライマリパスに又は前記セクションを通じてプロテクションパスに与えられる、請求項１０記載の装置。
【請求項１８】
アップストリーム及びダウンストリームの双方のセクションのプロテクションに関与するノードにおいて、エンドトゥエンドのＶＬＡＮ識別子及びダウンストリームのセクションの状態に基づいて、トラフィックが、前記アップストリームのセクションのプロテクションの終了点に至るパス、又は前記ダウンストリームのセクションのプロテクションの終了点に至るパスに与えられる、請求項１４記載の装置。
【発明の詳細な説明】
【技術分野】
【０００１】
本発明は一般にネットワーク通信の技術分野に関連し、特にプロバイダブリッジトラフィックエンジニアリングのためのプロテクションに関連する。
【背景技術】
【０００２】
プロバイダバックボーンブリッジトラフィックエンジニアリング（Provider  Backbone  Bridge  Traffic  Engineering：PBB−TE）は、端末間又はエンドトゥエンドの1：1のプロテクション方式を使用しており、本源において「e2eプロテクション」と言及する。この方式は、任意のメッシュ形式のネットワーク接続において使用可能な堅牢な（robust）保護手段をもたらす。しかしながら、多くのネットワークについて前提としている物理的な接続はしばしばファイバのリングを使用しており、この場合、リングトポロジのプロテクション（保護）が重要になる。図1に示されているようなカスケードリングのネットワークの場合、一対のノード（matched  pair  of  nodes）を利用して、論理的に隣接するリングの通信リンクを相互接続する。エンドポイント間のプライマリパスは、一対のノードに属するものの間のリンクを通る（すなわち、プライマリパスノードを通る）。プロテクションパスは、一対のノードの内の関連するものの間の異なるリンクを通る（すなわち、プロテクションノードを通る）。TBB−TEにおける各々のパスはVLAN−ID（VID）に関連付けられている。プライマリパスのリンク又はノードに不具合が生じた場合、ヘッドエンドポイントがデータフレームに使用されるVIDを変更することで、トラフィックはプロテクションパスに切り替えられる。
【０００３】
エンドトゥエンドの1：1プロテクションの方式は功を奏しているが、いくつかの欠点がある。例えば、様々なリングが様々な地理的領域に関連付けられ、キャリア内の異なる組織によって管理及び運営されていた場合、それらの組織の各々は、他の組織と連携することなく、メンテナンスの使用不可期間の予定を立てることを希望するかもしれない（けれどもそれは困難である）。さらに、長距離通信の場合、拡張されたe2eパスにおける周波数障害は、第1の不具合が復旧する前にプロテクションパスにおいて第2の不具合が生じてしまう確率が、許容できなくなるほど相当に大きくなってしまうことである。拡張されたe2eプロテクション方式はこの問題を緩和するために使用可能であるが、必要になるプロテクションパスの数は、プロテクションの範囲及びリングの数に依存してかなり多くなってしまい、例えば複数のリングによる複数の不具合を保護することになる。例えば、カスケード方式におけるリング対を分離する際、4つのエンドトゥエンドのパスが必要になる。なぜなら、4つのパスが存在する可能性があるからである。カスケード方式による3つのリングの場合、任意のリング対における2つの独立した不具合から保護するために6つのパスが必要になり、各リングで単独の不具合が同時に発生することから完全に保護するためには8つのパスが必要になる。このように多数の経路を維持することは困難である。なぜなら転送の状態はインストールされた多数のパスに直接関連付けられており、何れのパスも終端するノードにCFM（Continuity  Falt  Management）セッションを付加するからである。
【発明の概要】
【発明が解決しようとする課題】
【０００４】
本発明の課題は、上記の問題のうちの少なくとも1つに対処することである。
【課題を解決するための手段】
【０００５】
一実施例による方法は、
プロバイダブリッジバックボーンネットワークにおけるプロテクションのための方法であって、
不具合に応じて、可能であればセクションのプロテクションを使用するステップであって、該セッションは入口点及び出口点の間で規定されかつ前記プロバイダブリッジバックボーンネットワークの全体には及ばないものである、ステップと、
前記不具合がセクションのプロテクションによっては復旧できなかった場合に、エンドトゥエンドのプロテクションを使用するステップと
を有する方法である。
【図面の簡単な説明】
【０００６】
【図１】エンドトゥエンドの1：1プロテクション方式を示す図。
【図２】エンドトゥエンドプロテクション及びプライマリパスのみに適用されるセクションプロテクションの方式を説明するための図。
【図３】プライマリパス及びプロテクションパス双方についてセクションプロテクションを使用する様子を示す図。
【図４】図5ないし図10に示す様々な不具合の状態に応じる場合を説明する基礎として使用される本発明の一例を示す図。
【図５】プライマリルートにおけるアップストリームの不具合を示す図。
【図６】プライマリルートにおけるダウンストリームの不具合を示す図。
【図７】図5及び図6に示される対応が、ブリッジ毎のシングルフォワーディングデータベースの条件の下で潜在的にどのように競合してしまうかを示す図。
【図８】VIDスワップに基づく図7に示す問題の解決手段を示す図。
【図９】図7に示す問題に対する共感的スイッチ解決手段（sympathetic  switch  solution）を示す図。
【図１０】図7に示す問題に対する共感的スイッチ解決手段（sympathetic  switch  solution）を示す図。
【発明を実施するための形態】
【０００７】
本発明の一実施例による方法は、プロバイダブリッジバックボーンネットワークにおけるプロテクションのための方法であって、不具合、障害、不良、異常又は故障等（fault）に応じて、可能であればセクションのプロテクションを使用するステップであって、該セクションは入口点及び出口点の間で規定され、かつプロバイダブリッジバックボーンネットワークの全体には及ばないものである、ステップと、前記不具合がセクションのプロテクションによっては復旧できなかった場合に、エンドトゥエンドのプロテクションを使用するステップとを有する方法である。
【０００８】
本発明の別の実施例による装置は、プロバイダブリッジバックボーンネットワークを用いてエンドポイント間で通信を行う装置であって、入口点ノード及び出口点ノードを有し、該入口点ノード及び該出口点ノードはともに該入口点ノード及び該出口点ノード間のネットワークのセクションに対するプロテクションの機能を発揮し、前記セクションはプロバイダブリッジバックボーンネットワークの全体には及ばないものであり、前記プロバイダブリッジバックボーンネットワークは、不具合に応じて、可能であれば前記セクションのプロテクションを使用し、該不具合がセクションのプロテクションによっては復旧できなかった場合に、前記エンドポイント間のエンドトゥエンドのプロテクションを使用する、装置である。
【０００９】
本発明に関する利点は、ネットワークリソースをいっそう効率的に利用でき、かつプロテクション機能を強化できることを含む。包括的なプロテクションに必要な多数のパス各々は、トラフィックが使用するパスを決定するために、ノードにインストールされた転送状態（forwarding  state）を必要とするが、PBB−TEによって使用される1：1の「ヘッドエンドスイッチング」にしたがって何時でも1つのエンドトゥエンドのパスを、データトラフィックのみが伝搬する。これは、従来のセクションプロテクションの1：1の形態におけるネットワークリソースの非効率的な利用の問題を克服でき、従来の方法は、エンドトゥエンドのパスプロテクションと組み合わせたセクションプロテクションの形態を、非経済的なものにしてしまっていた。さらに、プライマリパス及びプロテクションエンドトゥエンドパスにセクションプロテクションを使用することで、一対のノードに保存される状態情報量を単に2倍にする一方で、リング毎に1つの不具合に耐えることができるようにし、その不具合は一対のノードの一方の不具合の場合を含む（その場合は2つのリングに不具合をもたらす）。しかしながら本発明はリングアーキテクチャに限定されないことが理解されるべきである。
【００１０】
本発明に関するこれら及びその他の利点は以下の詳細な説明及び図面からよりいっそう明らかになるであろう。
【実施例１】
【００１１】
データ通信ネットワークは、コンピュータ、サーバ、ノード、ルータ、スイッチ、ブリッジ、ハブ、プロキシ及びその他のネットワーク装置等の様々なものを含み、これらは互いに結合されデータを伝送するように形成される。これらの装置は本願では「ノード」として言及される。例えば、インターネットプロトコルパケット、イーサーネットフレーム、データセル、セクション、その他の論理的に関連付けられたデータ等のようなデータは、ノード間の間で1つ以上の通信リンクを用いることで、ノード間の間で、データ通信ネットワークを介してプロトコルデータユニットをやりとりすることで通信される。特定のプロトコルデータユニットは、複数のノードにより処理され、ネットワークを介してソース及び宛先の間を伝搬する際に複数の通信リンクを通る。
【００１２】
本願において説明される内容は、本発明の例示的な実施例を説明し、本発明の原理及び概念の観点から有用かつ理解しやすい記述であると信じる説明をもたらす。本発明の基礎的な理解に必要とする以上に詳細な本発明の構造的形態を示そうとする意図はない。
【００１３】
図2は、3つのカスケードリングを介して接続された2つのエンドポイントノード200、202の観点から、エンドトゥエンドのプロテクション及びセクションプロテクションの双方に関するプロテクション方式を示し、3つのカスケードリングはマッチトノードペア（matched  pairs  of  nodes）（204，206），（208，210）により相互接続されている。リンク214、216、218に関連するプライマリパス212は、端末間形式又はエンドトゥエンド形式（end−to−end  basis）により、リンク222、224、226に関連するプロテクションパスによって保護されている。プライマリパスの1つ以上のセクションはローカル形式（local−basis）によっても保護されており、「セクション」はリンク、リング、トランク（trunk）又はその他のネットワークの一部である。例えば、リンク214はリンク222によるパス228によって保護されており、リンク216はリンク224によるパス230によって保護されており、リンク218はリンク226によるパス232によって保護されている。セクションを通るパス各々の不具合の状態は、セクションのエンドポイント間のCFMセッションにより独立に監視される。不具合の状態が検出されたことに応じて、その不具合に対処するために可能であればセクションプロテクションが使用され、可能でなければ、エンドトゥエンドプロテクションが使用される。例えば、不具合がエンドトゥエンドCFMセッションにより通知される前におけるタイムアウト期間は、対応するセクションのタイムアウト期間よりも長く設定され、不必要なエンドトゥエンドのプロテクションスイッチにトリガが与えられないようにする。セクションプロテクションを起動することは、プライマリe2eパスからプロテクションe2eパスへの切り替えを示すものではないことに、留意を要する。むしろ、プライマリe2eパスは、影響を受けたセクションのみに関して再ルーティングされる又は新ルートが設定される（reroute）。したがって、エンドトゥエンド1：1プロテクション方式に関する問題の少なくともいくつかは、解決できる。図2は具体的にリングを示しているが、本願において説明されるセクションプロテクション方式は、保護されるセクションを形成する2つのパスがプロテクションの開始及び終了の間を横切ってはならないという1つの制約とともに、任意のトポロジ又は形態に使用されてもよい。
【００１４】
包括的なプロテクションに必要な多数のパス各々は、トラフィックに使用するパスを決定するために、ノードにインストールされる転送状態（forwarding  state）を必要とするが、PBB−TEにより使用される1：1「ヘッドエンドスイッチング」モデルは、任意の時点において1つのエンドトゥエンドパスにトラフィックが流れることを意味する点が、理解されるべきである。これは、従来のセクションプロテクションの1：1の形態におけるネットワークリソースの非効率的な利用の問題を克服でき、従来の方法は、エンドトゥエンドのパスプロテクションと組み合わせたセクションプロテクションを配備する際、非経済的なものにしてしまっていた。
【００１５】
与えられたセクションに関するプロテクションは、セクションの入口点及び出口点における対応するノード又は1つのマッチトノード（matched  node）において閉じている。例えば、プライマリリンク214と、リンク222による対応するプロテクションパス228とは、ノード204において閉じており、ノード204はノード206と対をなしている。したがって、リンク214における不具合は、ノード204から切り替えることなく又は切り替えプロセスにおけるノード206による積極的な関わりを必要とせずに、セクションプロテクションのリンク228を用いることで克服できる。滅多に起こらないノード204の不具合の場合に、パス212に関するプライマリエンドトゥエンドCFMセッションの不具合の結果として、エンドトゥエンドプロテクションが起動され、トラフィックはプロテクションパス220に関するリンク及びノードに切り替えられ、これはノード204ではなくノード206を使用することを含む。これは、有利なことに、マッチトノード間のプロテクション同期に関する問題を軽減する。
【００１６】
図3を参照するに、一実施例において、プライマリパス及びプロテクションパス双方にセクションプロテクションが設けられている。より具体的には、図2に関して説明したパス及びリンクに加えて、リンク222がリンク214によるパス300により保護され、リンク224がリンク216によるパス302により保護され、リンク226がリンク218によるパス304により保護されている。各セクションのプロテクションは、プライマリパス及びプロテクションパス双方において独立に始まって終了している。エンドポイント240、242の間のプライマリパス及びプロテクションパスに関してCFM接続検査（CFM  Connectivity  Check）セッションが行われ、2つのエンドトゥエンドパスのステータス又は状態を連続的に判定する。2つのCFMセッション306（一方は時計回り、他方は反時計回り）は、プライマリe2eパスにより使用されているVIDを用いて、ノード200及び204の間の2つのパスのステータスを判定し、2つの別のCFMセッション307は、プロテクションe2eパスにより使用されているVIDを用いて、ノード200及び206の間の2つのパスのステータスを判定する。2つのCFMセッション308は、プライマリe2eパスにより使用されているVIDを用いて、ノード204及び208の間の2つのパスのステータスを判定し、2つの別のCFMセッション309は、プロテクションe2eパスにより使用されているVIDを用いて、ノード206及び210の間の2つのパスのステータスを判定する。エンドトゥエンドパス毎に、個々のセクションプロテクションCFMセッションが作成される必要はない。例えば、2つのセッション308が、ノード204及び208を介して中段のリング（ミドルリング）に出入りする全ての経路について使用されてもよい。プライマリパス及びプロテクションパスにセクションプロテクションを使用することで、マッチトノードに保存される状態情報量を単に2倍にする一方で、リング毎に1つの不具合に耐えることができるようにし、その不具合はマッチトノードの一方の不具合の場合を含む（その場合は2つのリングに不具合をもたらす）。
【００１７】
図4は、図5ないし図10に示す様々な不具合の状態に応じる場合を説明する基礎として使用される本発明の一例を示す。全く一般性を失うことなく、トラフィックは左側から右側へ流れる場合のみを全ての場合について示しており、「アップストリーム」及び「ダウンストリーム」という用語が、フローの流れの向きに関して使用される。図4に示されているように、バックボーンエッジブリッジ（Backbone  Edge  Bride：BEE）400、402がリングを介して通信する。これらのリングは、バックボーンコアブリッジ（Backbone  Core  Bridge：BCB）のマッチトペア404a、404b、406a、406bにおいて中継されている。ECBの各々は、例えば408a、408b、408c、408dのような4つのプロバイダネットワークポート（Provider  Network  Port：PNP）を含む。BEBの各々は、カスタマーバックボーンポート（Customer  Backbone  Port：CBP）410及び2つのPNP  412a、412bを含む。BEB間のプライマリパス420は、e2eプロテクションパス424とBCB404a及び406bの間のセクションプロテクションパス422とにより保護されている。図示の簡明化のため、e2eプロテクションパスのセクションプロテクションは図示されていない。不具合及びトリガプロテクションスイッチングを検出するために、CFMセッションが、以下のペアの間で維持される：（BEB400，BCB404b）；（BEB400，BCB404a）；（BEB404b，BCB406b）；（BEB404a，BCB406a）；（BEB406b，BCB402）；及び（BEB406a，BCB402）。
【００１８】
図5は、BCB404aのアップストリームであるプライマリパス420における不具合を示す。CFMセッションの異常により検出された不具合に応じて、第1セクションに沿って420のためにセクションプロテクションパスに沿って、PNP412aからBCB404bへ延いてはBCB404aへトラフィックがBEB400によりルーティングし直される（新たにルートが設定される）。BCB404aはPNP408dにおいてルーティングし直されたトラフィックをプライマリパス420に戻す。
【００１９】
図6は、BCB404aのプライマリルートダウンストリームの不具合を示す。この不具合の状態に応答して、トラフィックは、第2のセクションに関するセクションプロテクションにより再ルーティングされる。特に、BCB404aはPNP408cにおいて受信したトラフィックを再ルーティングし、PNP408cを介してトラフィックはBCB404b及びBCB406に進む。BCB406bはトラフィックをBCB406aへ転送し、BCB406aは再ルーティングされたトラフィックをPNP408dにプライマリパスに戻す。再ルーティングされたフレームは、プロテクション開始点BCB404aにおいて如何なる方法によっても変更されず、それらは（プライマリe2eパスに関連する）同じVID値を使用することができる。
【００２０】
図7は、図5及び図6に示される対応策が、BCBマッチトノード406bはプライマリe2eパスのセクションプロテクションに関する2つの転送パスを有することをなぜ必要とするかを示し、そのプライマリe2eパスは様々な状況において使用されるものである。2つのパスは同時にはアクティブになることができないので、BCB404bは、どのパスが何時使用されるかを決定する直接的な手段を備えておらず、積極的な関与なしにこれを維持することは、状態及び複雑さ等の観点から有利である。これらの転送パスの双方を同時にインストールすることは、潜在的に競合することを示す。特に、BCB404bにおいて異なるルートが（エンドポイントBEB402のものである）同じアドレスに関連付けられている。これは、BCBが典型的には唯1つの転送データベース（FDB）を有するので問題となる。この問題に対する1つの直接的な解決手段は、PNP各々において異なる転送データベースを有することである。しかしながら、そのようなことはイーサーネットブリッジの標準仕様IEEE802．1Q及びIEEE802．1ahに反することになり、標準仕様においてはFDBは全てのブリッジポートに適用可能であり、これらの標準仕様に準拠することが望まれる場合、問題となってしまう。
【００２１】
図8は、図7に示される問題に対する別の解決手段を示す。図示の解決手段はVIDスワップ（swap）処理に基づく。この解決手段の場合、セクションプロテクションパスにおいて、アップストリームノードからバディノード（buddy  node）へ、又はバディノードからダウンストリームノードへ、VIDスワップがBCBスイッチにより実行される。具体的に図示された例において、BCB404bのPNP408aにおいて及び再びPNP408dにおいて、VIDスワップが実行され、PNP408dから出るトラフィックが、PNP408aに入るトラフィックと同じVIDを有するようにするが、BCB404bの中ではアドレスの競合は生じない。なぜなら、それらのパスには異なるVIDが関連付けられているからである。したがって、VLAN毎に1つのFDBを、イーサーネット標準仕様にしたがって維持することができる。
【００２２】
図9及び図10は、それぞれダウンストリーム及びアップストリームの不具合に対する別のプロテクションスイッチング解決手段を示し、CFMセッションの形式により外部状態（extra  state）がマッチトノードにインストールされるが、それでも404a及び404bのようなマッチトノードペアの間に明確な同期は必要とされない。この解決手段の場合、CCMセッション（時計回り及び反時計回りのセッション）による追加的なペアが、プライマリパスe2eパスにおけるセッションプロテクションを開始するマッチトノードと、プロテクションe2eパスにおけるセッションプロテクションを終了するマッチトノードとの間で維持される。これらのマッチトノード間の「交差した又はダイアゴナル（diagonal）」セッションは、セクションプロテクションパスにおけるアップストリームマッチトノードが、セクションプロテクションパスのダウンストリームの部分はセクションプロテクション終了点又は終端点に対して使用可能であるか否かを直接的に判断できるようにする。例えば、ダイアゴナルCCMセッション900は、BCB406a及びBCB404bの間で維持される。ダイアゴナルセッションは、BCB404bがBCB406aのPNP408dにおけるセクション終了点又は終端点に到達可能か否かを、ネットワークが直接的に判断できるようにする。不具合902がプライマリパスにおいて生じた場合、BCB404bは時計回りにプロテクションパスに沿ってトラフィックをBCB406aに転送する。なぜなら、バディマッチトノード404aはBCB406aとのプライマリCCMセッションの不具合から、直接的にその不具合を検出し、セクションプロテクションパスにおけるトラフィックを切り替えることができるからである。アップストリームの不具合1000は、CCMセッション900によっては検出されないので、トラフィックは、デフォルト（すなわち、CFMセッション900が適切に動作している場合の設定）にしたがってBCB404bにより、あたかもアップストリームリングのプライマリパスが不具合を生じているかのように、すなわち不具合1000が仮定されて、トラフィックが転送される。BCB404bの動作は、双方のパスを破壊するマッチトノード間のリンクにおける不具合1001の形態によらず、その理由は双方のリングが不具合を生じており、双方のセクションを介するプライマリe2eパスにおける後続の不具合は、e2eプロテクションスイッチにより復元できるだけであることに、留意を要する。
【００２３】
以上、本発明は上記の実施例により説明されたが、説明された発明概念から逸脱することなく、説明された実施例の変形例及び修正例を得ることが可能なことを当業者は理解するであろう。さらに、好適実施例が様々な図示の構造に関連して説明されたが、当業者は、具体的な様々な構造を用いてシステムを実現できることを認めるであろう。本発明は添付の特許請求の範囲の目的及び精神以外によって規定されるものではない。
【００２４】
本願は、西暦2008年9月11日付けで出願された「SECTION  PROTECTION  FOR  PROVIDER  BACKBONE  BRIDGE  TRAFFIC  ENGINEERING」と題する米国仮出願第61／096，011号の優先権の恩恵を享受する。
【図１】
0005485998.tif 000002
【図２】
0005485998.tif 000003
【図３】
0005485998.tif 000004
【図４】
0005485998.tif 000005
【図５】
0005485998.tif 000006
【図６】
0005485998.tif 000007
【図７】
0005485998.tif 000008
【図８】
0005485998.tif 000009
【図９】
0005485998.tif 000010
【図１０】
0005485998.tif 000011